(57)【要約】【課題】コンテンツ検索のサービスの品質を向上させる。【解決手段】コンテンツ名からコンテンツ情報を検索する情報検索装置１００−５は、コンテンツ名、および、コンテンツ情報のローカルアドレスを含めて構成される、コンテンツ情報のグローバル識別子を記憶するグローバル識別子付与検索部５０Ａ、を備え、グローバル識別子付与検索部５０Ａが、エッジルータ２５−１からコンテンツ名（Content n）の情報を取得し、当該コンテンツ名を含めて構成されるグローバル識別子（GUID n）を応答することにより、エッジルータ２５−１に、応答されたグローバル識別子が含むローカルアドレス（MAC n）の情報を、コンテンツ名の情報が付与されたパケット３５−１に付与させる。【選択図】図１０
2019140612.tif 000002
【特許請求の範囲】
【請求項１】
コンテンツ名からコンテンツ情報を検索する情報検索装置であって、
前記コンテンツ名、および、前記コンテンツ情報のローカルアドレスを含めて構成される、前記コンテンツ情報のグローバル識別子を記憶するグローバル識別子付与検索部、を備え、
前記グローバル識別子付与検索部が、ネットワーク装置からコンテンツ名の情報を取得し、当該コンテンツ名を含めて構成されるグローバル識別子を応答することにより、前記ネットワーク装置に、前記応答されたグローバル識別子が含むローカルアドレスの情報を、前記コンテンツ名の情報が付与されたパケットに付与させる、
ことを特徴とする情報検索装置。
【請求項２】
前記グローバル識別子と、前記コンテンツ情報のネットワークアドレスと、を紐付けるネットワークアドレス検索部、をさらに備え、
前記コンテンツ情報がローカルネットワーク上にない場合、前記ネットワークアドレス検索部が、前記ネットワーク装置から、前記パケットに付与された、前記コンテンツ名の情報および前記ローカルアドレスの情報を含めて構成されるグローバル識別子の情報を取得し、当該グローバル識別子に紐付けられたネットワークアドレスの情報を応答することにより、前記ネットワーク装置に、前記応答されたネットワークアドレスの情報を前記パケットにさらに付与させる、
ことを特徴とする請求項１に記載の情報検索装置。
【請求項３】
請求項２に記載の情報検索装置と、請求項２に記載のネットワーク装置とを含む情報検索システムであって、
前記ネットワーク装置にて、前記グローバル識別子が含む前記ローカルアドレスに対応するポートが存在しない場合、前記ネットワーク装置は、グローバルネットワークに接続するデフォルトポートから前記パケットを出力する、
ことを特徴とする情報検索システム。
【請求項４】
コンテンツ名からコンテンツ情報を検索する情報検索装置であって、
前記コンテンツ名と、前記コンテンツ情報のグローバル識別子とを関連付けるグローバル識別子付与検索部と、
前記グローバル識別子と、前記コンテンツ情報のローカルアドレスとを関連付けるローカルアドレス検索部と、を備え、
前記グローバル識別子付与検索部が、ユーザ端末からコンテンツ名の情報を取得し、当該コンテンツ名に関連付けられたグローバル識別子の情報を応答することにより、前記ユーザ端末に、前記応答されたグローバル識別子をパケットに付与させ、
前記ローカルアドレス検索部が、ネットワーク装置から、前記パケットに付与されたグローバル識別子の情報を取得し、当該グローバル識別子に関連付けられたローカルアドレスの情報を応答することにより、前記ネットワーク装置に、前記応答されたローカルアドレスの情報を前記パケットにさらに付与させる、
ことを特徴とする情報検索装置。
【請求項５】
前記グローバル識別子と、前記コンテンツ情報のネットワークアドレスと、を紐付けるネットワークアドレス検索部、をさらに備え、
前記コンテンツ情報がローカルネットワーク上にない場合、前記ネットワークアドレス検索部が、前記ネットワーク装置から、前記パケットに付与されたグローバル識別子の情報を取得し、当該グローバル識別子に紐付けられたネットワークアドレスの情報を応答することにより、前記ネットワーク装置に、前記応答されたネットワークアドレスの情報を前記パケットにさらに付与させる、
ことを特徴とする請求項４に記載の情報検索装置。
【請求項６】
コンテンツ名からコンテンツ情報を検索する情報検索装置であって、
前記コンテンツ名と、前記コンテンツ情報のローカルアドレスとを関連付けるローカルアドレス検索部を備え、
前記ローカルアドレス検索部が、ネットワーク装置からコンテンツ名の情報を取得し、当該コンテンツ名に関連付けられたローカルアドレスの情報を応答することにより、前記ネットワーク装置に、前記応答されたローカルアドレスの情報を、前記コンテンツ名の情報が付与されたパケットに付与させる、
ことを特徴とする情報検索装置。
【請求項７】
前記コンテンツ名と、前記コンテンツ情報のグローバル識別子とを関連付けるグローバル識別子付与検索部と、
前記グローバル識別子と、前記コンテンツ情報のネットワークアドレスと、を紐付けるネットワークアドレス検索部と、をさらに備え、
前記コンテンツ情報がローカルネットワーク上にない場合、前記グローバル識別子付与検索部が、前記ネットワーク装置から、前記コンテンツ名の情報を取得し、当該コンテンツ名に関連付けられたグローバル識別子の情報を応答することにより、前記ネットワーク装置に、前記応答されたグローバル識別子を前記パケットにさらに付与させ、
前記ネットワークアドレス検索部が、前記ネットワーク装置から、前記パケットに付与されたグローバル識別子の情報を取得し、当該グローバル識別子に紐付けられたネットワークアドレスの情報を応答することにより、前記ネットワーク装置に、前記応答されたネットワークアドレスの情報を前記パケットに付与させる、
ことを特徴とする請求項６に記載の情報検索装置。
【請求項８】
コンテンツ名からコンテンツ情報を検索する情報検索装置における情報検索方法であって、
前記コンテンツ名、および、前記コンテンツ情報のローカルアドレスを含めて構成される、前記コンテンツ情報のグローバル識別子を記憶するグローバル識別子付与検索情報を記憶しており、
前記情報検索装置が、
ネットワーク装置から、コンテンツ名の情報を取得し、前記グローバル識別子付与検索情報を参照して、当該コンテンツ名を含めて構成されるグローバル識別子を応答することにより、前記ネットワーク装置に、前記応答されたグローバル識別子が含むローカルアドレスの情報を、前記コンテンツ名の情報が付与されたパケットに付与させる、
ことを特徴とする情報検索方法。
【発明の詳細な説明】
【技術分野】
【０００１】
本発明は、情報検索装置、情報検索システム、および、情報検索方法に関する。
【背景技術】
【０００２】
現在、インターネット上のデータやサービスなどの様々な情報を取得する場合、データやサービスなどの目的とする情報の識別子とその情報が存在する場所を同一の体系で表しているＵＲＬ（Uniform Resource Locator）を用いることが広く普及している。これに対して、近年のIoT（Internet of Things）の進展やモバイル通信の進展などにより、情報の識別子と、情報が存在する場所とを異なる体系で分けて管理する考え方がある。このような考え方のひとつとして、Mobility First技術が提唱されている（非特許文献１参照）。
【０００３】
Mobility First技術では、ネットワークに接続された、人間が認識しやすい名前などでつけられたデータやサービスなどのコンテンツ情報（Contents）に、NCS（Network Certification Service）により、グローバルに固有な情報識別子GUID（Global Unique IDentifier）を割り当てる。また、GUIDは、GNS（Global Name Service）により、情報の存在する場所を示すネットワークアドレスNA（Network Address）が紐づけられる。
【先行技術文献】
【非特許文献】
【０００４】
【非特許文献１】Raychaudhuri, D. et. al ”MobilityFirst: A Robust and Trustworthy Mobility-Centric Architecture for the Future Internet”, ACM SIGMobile Mobile Computing and Communication Review, Volume 16 Issue 3, July 2012, p2-p13
【発明の概要】
【発明が解決しようとする課題】
【０００５】
図１４を参照して、従来のMobility First技術によって、ユーザがコンテンツ情報を取得するための処理について説明する。ローカルネットワーク上には、コンテンツ情報１２を含むあらゆるコンテンツ情報とグローバルに固有な情報識別子（GUID）とを対応付けるグローバル識別子付与検索部（NCS）１３、GUIDとNAとを紐付けるアドレス検索部（GNS）１４、および、コンテンツ情報を取得するためのパケットを転送するエッジルータ２０−１、コアルータ２０−２、エッジルータ２０−３，・・・などのネットワーク装置がある。
【０００６】
ユーザが操作するユーザ端末１１は、コンテンツ情報１２を取得するため、グローバル識別子付与検索部１３にコンテンツ名（Content n）を送信すると、グローバル識別子付与検索部１３からの応答として、Content nに関連付けられたGUID「GUID n」を取得する。次に、ユーザ端末１１は、取得したGUID nを付与したパケット３０−１をローカルネットワークに送信する。パケット３０−１を受信したエッジルータ２０−１は、パケット３０−１中のGUID nをアドレス検索部１４に送信することで、アドレス検索部１４からの応答として、GUID nに紐付けられたNA「NA n」を取得する。
【０００７】
エッジルータ２０−１等の各ルータは、NAと自身の出力ポートとの関係を定めるテーブルを有している。エッジルータ２０−１は、アドレス検索部１４から取得したNA nに対応する出力ポート（ポート１）にパケットを出力する。出力の際、エッジルータ２０−１は、パケット３０−１にNA nを付与したパケット３０−１をローカルネットワークに送信する。
【０００８】
その後、ローカルネットワーク上のネットワーク装置は、NAの情報によりルーティングを行う。コンテンツ情報１２が存在するローカルネットワークのエッジルータ２０−３は、ローカルアドレス検索部１７を参照して、NA nと、最終目的地であるコンテンツ情報のローカルアドレス（ＭＡＣ（Media Access Control）アドレスなど）との変換を行い、以降、ＭＡＣアドレス等によりコンテンツ情報１２にパケットを転送する。その結果、ユーザ端末１１がコンテンツ情報１２にアクセスして、コンテンツ情報１２を取得することができる。
【０００９】
上記の説明のように、従来のMobility First技術では、コンテンツ情報が存在する目的地へパケットを転送し、目的となるコンテンツ情報を取得するためには、図１５に示すように、グローバル識別子（GUID）検索（ステップＳ１）によるGUIDの取得→ネットワークアドレス（NA）検索（ステップＳ２）によるNAの取得→NAによるルーティング（ステップＳ３）→ＭＡＣアドレス変換（ステップＳ４）→ＭＡＣアドレスによる転送（ステップＳ５）、といった多くの手順を要する。しかし、このように多くの手順を要する従来手法では、ユーザ端末がコンテンツ情報を取得するまでのネットワークの接続時間が長期化し、コンテンツ検索においてサービスの品質の低下を招いてしまう。
【００１０】
このような背景に鑑みて、本発明は、コンテンツ検索のサービスの品質を向上させることを課題とする。
【課題を解決するための手段】
【００１１】
前記した課題を解決するため、請求項１に記載の発明は、コンテンツ名からコンテンツ情報を検索する情報検索装置であって、前記コンテンツ名、および、前記コンテンツ情報のローカルアドレスを含めて構成される、前記コンテンツ情報のグローバル識別子を記憶するグローバル識別子付与検索部、を備え、前記グローバル識別子付与検索部が、ネットワーク装置からコンテンツ名の情報を取得し、当該コンテンツ名を含めて構成されるグローバル識別子を応答することにより、前記ネットワーク装置に、前記応答されたグローバル識別子が含むローカルアドレスの情報を、前記コンテンツ名の情報が付与されたパケットに付与させる、ことを特徴とする。
【００１２】
また、請求項８に記載の発明は、コンテンツ名からコンテンツ情報を検索する情報検索装置における情報検索方法であって、前記コンテンツ名、および、前記コンテンツ情報のローカルアドレスを含めて構成される、前記コンテンツ情報のグローバル識別子を記憶するグローバル識別子付与検索情報を記憶しており、前記情報検索装置が、ネットワーク装置から、コンテンツ名の情報を取得し、前記グローバル識別子付与検索情報を参照して、当該コンテンツ名を含めて構成されるグローバル識別子を応答することにより、前記ネットワーク装置に、前記応答されたグローバル識別子が含むローカルアドレスの情報を、前記コンテンツ名の情報が付与されたパケットに付与させる、ことを特徴とする。
【００１３】
請求項１，８に記載の発明によれば、コンテンツ情報へのアクセスに必要な手順を少なくすることができる。そのため、ユーザ端末がコンテンツ情報を取得するまでのネットワークの接続時間を短縮することができる。
したがって、コンテンツ検索のサービスの品質を向上させることができる。
【００１４】
また、請求項２に記載の発明は、請求項１に記載の情報検索装置であって、前記グローバル識別子と、前記コンテンツ情報のネットワークアドレスと、を紐付けるネットワークアドレス検索部、をさらに備え、前記コンテンツ情報がローカルネットワーク上にない場合、前記ネットワークアドレス検索部が、前記ネットワーク装置から、前記パケットに付与された、前記コンテンツ名の情報および前記ローカルアドレスの情報を含めて構成されるグローバル識別子の情報を取得し、当該グローバル識別子に紐付けられたネットワークアドレスの情報を応答することにより、前記ネットワーク装置に、前記応答されたネットワークアドレスの情報を前記パケットにさらに付与させる、ことを特徴とする。
【００１５】
請求項２に記載の発明によれば、ユーザ端末がローカルネットワーク上にないコンテンツ情報に確実にアクセスすることができる。
【００１６】
また、請求項３に記載の発明は、請求項２に記載の情報検索装置と、請求項２に記載のネットワーク装置とを含む情報検索システムであって、前記ネットワーク装置にて、前記グローバル識別子が含む前記ローカルアドレスに対応するポートが存在しない場合、前記ネットワーク装置は、グローバルネットワークに接続するデフォルトポートから前記パケットを出力する、ことを特徴とする。
【００１７】
請求項３に記載の発明によれば、ネットワークの接続時間を短縮するという本発明の作用効果を妨げないようにすることができる。
【００１８】
また、請求項４に記載の発明は、コンテンツ名からコンテンツ情報を検索する情報検索装置であって、前記コンテンツ名と、前記コンテンツ情報のグローバル識別子とを関連付けるグローバル識別子付与検索部と、前記グローバル識別子と、前記コンテンツ情報のローカルアドレスとを関連付けるローカルアドレス検索部と、を備え、前記グローバル識別子付与検索部が、ユーザ端末からコンテンツ名の情報を取得し、当該コンテンツ名に関連付けられたグローバル識別子の情報を応答することにより、前記ユーザ端末に、前記応答されたグローバル識別子をパケットに付与させ、前記ローカルアドレス検索部が、ネットワーク装置から、前記パケットに付与されたグローバル識別子の情報を取得し、当該グローバル識別子に関連付けられたローカルアドレスの情報を応答することにより、前記ネットワーク装置に、前記応答されたローカルアドレスの情報を前記パケットにさらに付与させる、ことを特徴とする。
【００１９】
請求項４に記載の発明によれば、コンテンツ情報へのアクセスに必要な手順を少なくすることができる。そのため、ユーザ端末がコンテンツ情報を取得するまでのネットワークの接続時間を短縮することができる。
【００２０】
また、請求項５に記載の発明は、請求項４に記載の情報検索装置であって、前記グローバル識別子と、前記コンテンツ情報のネットワークアドレスと、を紐付けるネットワークアドレス検索部、をさらに備え、前記コンテンツ情報がローカルネットワーク上にない場合、前記ネットワークアドレス検索部が、前記ネットワーク装置から、前記パケットに付与されたグローバル識別子の情報を取得し、当該グローバル識別子に紐付けられたネットワークアドレスの情報を応答することにより、前記ネットワーク装置に、前記応答されたネットワークアドレスの情報を前記パケットにさらに付与させる、ことを特徴とする。
【００２１】
請求項５に記載の発明によれば、ユーザ端末がローカルネットワーク上にないコンテンツ情報に確実にアクセスすることができる。
【００２２】
また、請求項６に記載の発明は、コンテンツ名からコンテンツ情報を検索する情報検索装置であって、前記コンテンツ名と、前記コンテンツ情報のローカルアドレスとを関連付けるローカルアドレス検索部を備え、前記ローカルアドレス検索部が、ネットワーク装置からコンテンツ名の情報を取得し、当該コンテンツ名に関連付けられたローカルアドレスの情報を応答することにより、前記ネットワーク装置に、前記応答されたローカルアドレスの情報を、前記コンテンツ名の情報が付与されたパケットに付与させる、ことを特徴とする。
【００２３】
請求項６に記載の発明によれば、コンテンツ情報へのアクセスに必要な手順を少なくすることができる。そのため、ユーザ端末がコンテンツ情報を取得するまでのネットワークの接続時間を短縮することができる。
【００２４】
また、請求項７に記載の発明は、請求項６に記載の情報検索装置であって、前記コンテンツ名と、前記コンテンツ情報のグローバル識別子とを関連付けるグローバル識別子付与検索部と、前記グローバル識別子と、前記コンテンツ情報のネットワークアドレスと、を紐付けるネットワークアドレス検索部と、をさらに備え、前記コンテンツ情報がローカルネットワーク上にない場合、前記グローバル識別子付与検索部が、前記ネットワーク装置から、前記コンテンツ名の情報を取得し、当該コンテンツ名に関連付けられたグローバル識別子の情報を応答することにより、前記ネットワーク装置に、前記応答されたグローバル識別子を前記パケットにさらに付与させ、前記ネットワークアドレス検索部が、前記ネットワーク装置から、前記パケットに付与されたグローバル識別子の情報を取得し、当該グローバル識別子に紐付けられたネットワークアドレスの情報を応答することにより、前記ネットワーク装置に、前記応答されたネットワークアドレスの情報を前記パケットに付与させる、ことを特徴とする。
【００２５】
請求項７に記載の発明によれば、ユーザ端末がローカルネットワーク上にないコンテンツ情報に確実にアクセスすることができる。
【発明の効果】
【００２６】
本発明によれば、コンテンツ検索のサービスの品質を向上させることができる。
【図面の簡単な説明】
【００２７】
【図１】第１の実施例の情報検索装置の機能構成図の例である。
【図２】第１の実施例のコンテンツ情報取得手順を示すフローチャートである。
【図３】第２の実施例の情報検索装置の機能構成図の例である。
【図４】第２の実施例のコンテンツ情報取得手順を示すフローチャートである。
【図５】第３の実施例の情報検索装置の機能構成図の例である。
【図６】第３の実施例のコンテンツ情報取得手順を示すフローチャートである。
【図７】第４の実施例の情報検索装置の機能構成図の例である。
【図８】第４の実施例のコンテンツ情報取得手順を示すフローチャートである。
【図９】第５の実施例のグローバル識別子（GUID）のデータ構造を示す図である。
【図１０】第５の実施例の情報検索装置の機能構成図の例である。
【図１１】第５の実施例のコンテンツ情報取得手順を示すフローチャートである。
【図１２】第６の実施例の情報検索装置の機能構成図の例である。
【図１３】第６の実施例のコンテンツ情報取得手順を示すフローチャートである。
【図１４】MobilityFirstのアーキテクチャの従来構成図の例である。
【図１５】従来技術のコンテンツ情報取得手順を示すフローチャートである。
【発明を実施するための形態】
【００２８】
≪概要≫
本実施形態では、コンテンツ情報のグローバル識別子（GUID）とコンテンツ情報が存在する最終目的地を示すローカルアドレス（ＭＡＣアドレスなど）とを対応付けることで、ユーザ端末のコンテンツ情報の検索に対するルーティングを簡略化する。
以下、図面を参照して、本実施形態が適用可能な第１〜第６の実施例について説明する。
【００２９】
≪第１の実施例≫
図１に示すように、第１の実施例の情報検索装置１００−１は、ユーザ端末１１がコンテンツ情報１２を検索するための処理を実行する装置である。情報検索装置１００−１は、入出力部、処理部、記憶部といったハードウェアを備えており、処理部の具体例となるＣＰＵが、記憶部の具体例となるメモリ上に読み込んだプログラムを実行することにより、本実施例の方法を実現する。
【００３０】
情報検索装置１００−１は、グローバル識別子付与検索部（NCS）１０Ａと、ローカルアドレス検索部（LGNS：Local GNS）１０Ｂとを備える。
グローバル識別子付与検索部（NCS）１０Ａは、コンテンツ名とグローバル識別子とを関連付ける。コンテンツ名には、例えば、人間が設定した名前または識別子を用いることができる。また、グローバル識別子には、例えば、Mobility First技術で用いる160ビットの識別子を用いることができる。
【００３１】
グローバル識別子付与検索部１０Ａは、テーブル１０Ａａを有する。テーブル１０Ａａは、コンテンツ名（Content x）とグローバル識別子（GUID x）との関連付けを保持する。グローバル識別子付与検索部１０Ａは、登録されるコンテンツ情報にグローバル識別子を付与することで、当該コンテンツ情報を検索対象にすることができる。グローバル識別子付与検索部１０Ａは、登録されるコンテンツ情報について、コンテンツ名とグローバル識別子とを関連付けてテーブル１０Ａａに登録することができる。
【００３２】
ローカルアドレス検索部１０Ｂは、グローバル識別子とローカルアドレスとを紐付ける。ローカルアドレスは、コンテンツ情報１２のローカルネットワーク上の位置を示す情報である。ローカルアドレスには、例えば、ＭＡＣアドレスを用いることができる。
【００３３】
ローカルアドレス検索部１０Ｂは、テーブル１０Ｂａを有する。テーブル１０Ｂａは、グローバル識別子（GUID x）とローカルアドレス（MAC x）との対応付けを保持する。
【００３４】
図１に示すように、ローカルネットワーク上には、パケットを中継するエッジルータ２１−１（ネットワーク装置）、コアルータ２１−２、エッジルータ２１−３が配置されている。エッジルータ２１−１、コアルータ２１−２、エッジルータ２１−３の各々は、テーブル２１−１ａ〜２１−３ａを有する。テーブル２１−１ａ〜２１−３ａの各々は、ローカルアドレスまたはNA等のアドレスと、パケットを出力するポートとの対応付けを保持する。
【００３５】
ユーザ端末１１がコンテンツ情報１２を取得する場合、まず、ユーザ端末１１は、コンテンツ名（Content n）をグローバル識別子付与検索部１０Ａに送信する。グローバル識別子付与検索部１０Ａは、テーブル１０Ａａを参照して、Content nに関連付けられたグローバル識別子（GUID n）を検索し、検索結果としてのグローバル識別子（GUID n）をユーザ端末１１に返信（応答）する。このとき、グローバル識別子付与検索部１０Ａは、ユーザ端末１１にグローバル識別子（GUID n）をパケットに付与させ、パケット３１−１とする。
【００３６】
ユーザ端末１１は、グローバル識別子付与検索部１０Ａから取得したGUID nを付与したパケット３１−１を、ローカルネットワークに送信するときにエッジルータ２１−１に送信する。エッジルータ２１−１は、パケット３１−１に付与されたGUID nをローカルアドレス検索部１０Ｂに送信する。ローカルアドレス検索部１０Ｂは、テーブル１０Ｂａを参照して、GUID nに紐付けられたローカルアドレス（MAC n）を検索し、検索結果としてのローカルアドレス（MAC n）をエッジルータ２１−１に返信（応答）する。このとき、ローカルアドレス検索部１０Ｂは、エッジルータ２１−１にローカルアドレス（MAC n）をパケット３１−１に付与させ、パケット３１−２とする。
【００３７】
エッジルータ２１−１は、テーブル２１−１ａを参照して、MAC nに対応するポート（ポート１）を検索し、ローカルアドレス検索部１０Ｂから取得したMAC nをパケット３１−１に付与したパケット３１−２を、コアルータ２１−２に送信する。以降、ローカルネットワーク上でMAC nによるルーティングが行われることにより、パケット３１−２は、コアルータ２１−２、エッジルータ２１−３を中継し、最終的な目的地であるコンテンツ情報１２に到達する。その結果、ユーザ端末１１がコンテンツ情報１２にアクセスして、コンテンツ情報１２を取得することができる。
【００３８】
上記の説明のように、第１の実施例では、図２に示すように、グローバル識別子（GUID）検索（ステップＡ１）によるGUIDの取得→ローカルアドレス（MAC）検索（ステップＡ２）によるMACの取得→MACによるルーティング（ステップＡ３）といった、従来（図１５参照）よりも少ない手順で、ユーザ端末１１によるコンテンツ情報１２の取得を実現することができる。その結果、ユーザ端末１１がコンテンツ情報１２を取得するまでのネットワークの接続時間を短縮し、コンテンツ検索のサービスの品質を向上させることができる。
【００３９】
なお、ライブデータのように、ローカルネットワーク上で発生し、ローカル内でやり取りされることが想定されるコンテンツ情報１２は、MobilityFirst技術では必須となるグローバル検索を本来必要としない。つまり、コンテンツ情報１２の検索は、ローカル検索で十分であり、NAを利用しない。このため、図２に示すように、コンテンツ情報１２の取得手順を少なくすることができる。
【００４０】
≪第２の実施例≫
次に、第２の実施例について説明する。第２の実施例は、第１の実施例に対して、コンテンツ情報１２がローカルネットワーク上でなく、グローバルネットワーク上に存在する場合の実施例に相当する。グローバルネットワーク上に存在するコンテンツ情報１２は、GUIDが付与されても、GUIDに関連付けられたローカルアドレスが割り当てられておらず、GUID由来のローカル検索ができない。
第２の実施例を説明する際、第１の実施例と重複する部分は説明を省略し、相違する点について主に説明する。
【００４１】
図３に示すように、第２の実施例の情報検索装置１００−２は、グローバル識別子付与検索部（NCS）２０Ａと、アドレス検索部（GNS）２０Ｂと、ローカルアドレス検索部（LGNS）２０Ｃと、ローカルアドレス検索部２０Ｄとを備える。グローバル識別子付与検索部２０Ａは、グローバル識別子付与検索部１０Ａ（図１）と同じである。ローカルアドレス検索部２０Ｃは、ローカルアドレス検索部１０Ｂ（図１）と同じである。
【００４２】
アドレス検索部２０Ｂは、GUIDとNAとを紐付ける。NAには、例えば、IPアドレスを用いる。アドレス検索部２０Ｂは、テーブル２０Ｂａを有する。テーブル２０Ｂａは、グローバル識別子（GUID x）とネットワークアドレス（NA x）との紐付けを保持する。アドレス検索部２０Ｂは、GUIDを介して、登録されるコンテンツ情報にIPアドレスを割り当て、当該コンテンツ情報をグローバル検索の検索対象にすることができる。
【００４３】
ローカルアドレス検索部２０Ｄは、ネットワークアドレスとローカルアドレスとを紐付ける。ローカルアドレスには、例えば、ＭＡＣアドレスを用いることができる。
ローカルアドレス検索部２０Ｄは、テーブル２０Ｄａを有する。テーブル２０Ｄａは、ネットワークアドレス（NA x）とローカルアドレス（MAC x）との紐付けを保持する。
【００４４】
図３に示すように、ローカルネットワーク上には、パケットを中継するエッジルータ２２−１（ネットワーク装置）が配置されている。また、グローバルネットワーク上には、コアルータ２２−２、エッジルータ２２−３が配置されている。エッジルータ２２−１は、テーブル２２−１ａを有する。テーブル２２−１ａは、ローカルアドレスまたはNA等のアドレスと、パケットを出力するポートとの対応付けを保持する。コアルータ２２−２、エッジルータ２２−３も、テーブル２２−１ａと同等の機能を持つテーブル（図示せず）を有する。
【００４５】
ユーザ端末１１が、グローバルネットワーク上のコンテンツ情報１２を取得する場合、第１の実施例と同様にして、ユーザ端末１１は、グローバル識別子付与検索部２０ＡからGUID nを取得する。次に、ユーザ端末１１は、GUID nを付与したパケット３２−１を、ローカルネットワークに送信するときにエッジルータ２２−１に送信する。
【００４６】
第１の実施例と同様にして、エッジルータ２２−１は、パケット３２−１に付与されたGUID nをローカルアドレス検索部２０Ｃに送信する。しかし、ローカルアドレス検索部２０Ｃがテーブル２０Ｃａを参照しても、テーブル２０Ｃａは、GUID nに対応するテーブルエントリを有していない。コンテンツ情報１２がローカルネットワーク上にないためである。よって、ローカルアドレス検索部２０Ｃは、エッジルータ２２−１にnullを返信する。
【００４７】
エッジルータ２２−１は、パケット３２−１に付与されたGUID nをアドレス検索部２０Ｂに送信する。アドレス検索部２０Ｂは、テーブル２０Ｂａを参照して、GUID nに紐付けられたネットワークアドレス（NA n）を検索し、検索結果としてのネットワークアドレス（NA n）をエッジルータ２２−１に返信（応答）する。このとき、アドレス検索部２０Ｂは、エッジルータ２２−１にネットワークアドレス（NA n）をパケット３２−１に付与させ、パケット３２−２とする。
【００４８】
エッジルータ２２−１は、テーブル２２−１ａを参照して、NA nに対応するポート（ポート０）を検索し、アドレス検索部２０Ｂから取得したNA nをパケット３２−１に付与したパケット３２−２を、グローバルネットワーク上のコアルータ２２−２に送信する。以降、従来技術としてすでに説明したとおり、NA nを基にルーティングを行う。これにより、パケット３２−２は、コアルータ２２−２、エッジルータ２２−３を中継する。エッジルータ２２−３は、ローカルアドレス検索部２０Ｄを参照して、NA nと、最終目的地であるコンテンツ情報のＭＡＣアドレス（MAC n）との変換を行い、コンテンツ情報１２にパケットを転送する。その結果、ユーザ端末１１がコンテンツ情報１２にアクセスして、コンテンツ情報１２を取得することができる。
【００４９】
上記の説明のように、第２の実施例では、コンテンツ情報１２がローカルネットワーク上になく、ローカルアドレス検索部２０Ｃによる検索ができない場合は、図４に示すように、グローバル識別子（GUID）検索（ステップＢ１）によるGUIDの取得失敗→ローカルアドレス（MAC）検索（ステップＢ２）によるMACの取得→ネットワークアドレス（NA）検索（ステップＢ３）によるNAの取得→NAによるルーティング（ステップＢ４）→ＭＡＣアドレス変換（ステップＢ５）→ＭＡＣアドレスによる転送（ステップＢ６）といった手順をとる。これにより、ユーザ端末１１は、目的地であるコンテンツ情報１２に確実にアクセスすることができる。
【００５０】
≪第３の実施例≫
次に、第３の実施例について説明する。第３の実施例は、第１の実施例と比較して、ユーザ端末１１がグローバル識別子付与検索部１０Ａ（図１）に検索を要求しない点が相違する。
第３の実施例を説明する際、第１，第２の実施例と重複する部分は説明を省略し、相違する点について主に説明する。
【００５１】
図５に示すように、第３の実施例の情報検索装置１００−３は、ローカルアドレス検索部（LGNS）３０Ａを備える。ローカルアドレス検索部（LGNS）３０Ａは、コンテンツ名とローカルアドレスとを紐付ける。ローカルアドレスには、例えば、ＭＡＣアドレスを用いることができる。
【００５２】
図５に示すように、ローカルネットワーク上には、パケットを中継するエッジルータ２３−１（ネットワーク装置）、コアルータ２３−２、エッジルータ２３−３が配置されている。エッジルータ２３−１、コアルータ２３−２はそれぞれ、テーブル２３−１ａ、２３−２ａを有する。テーブル２３−１ａ、２３−２ａは、テーブル２１−１ａなどと同等の機能を有する。エッジルータ２３−３も、テーブル２３−１ａと同等の機能を持つテーブル（図示せず）を有する。
【００５３】
ユーザ端末１１がコンテンツ情報１２を取得する場合、まず、ユーザ端末１１は、検索対象のコンテンツ名（Content n）を付与したパケット３３−１を、ローカルネットワークに送信するときにエッジルータ２３−１に送信する。エッジルータ２３−１は、パケット３３−１のコンテンツ名（Content n）をローカルアドレス検索部３０Ａに送信する。ローカルアドレス検索部３０Ａは、テーブル３０Ａａを参照して、取得したコンテンツ名（Content n）に対応するローカルアドレス（MAC n）を検索し、検索結果としてのローカルアドレス（MAC n）をエッジルータ２３−１に返信（応答）する。このとき、ローカルアドレス検索部３０Ａは、エッジルータ２３−１にローカルアドレス（MAC n）をパケット３３−１に付与させ、パケット３３−２とする。
【００５４】
エッジルータ２３−１は、ローカルアドレス検索部３０Ａからローカルアドレス（MAC n）を取得すると、テーブル２３−１ａを参照して、MAC nに対応するポート（ポート１）を検索し、ローカルアドレス検索部３０Ａから取得したMAC nをパケット３３−１に付与したパケット３３−２を、ポート１に出力し、コアルータ２３−２に送信する。以降、第１の実施例で説明したときと同様に、ローカルネットワーク上でMAC nによるルーティングが行われることにより、パケット３３−２は、コアルータ２３−２、エッジルータ２３−３を中継し、最終的な目的地であるコンテンツ情報１２に到達する。その結果、ユーザ端末１１がコンテンツ情報１２にアクセスして、コンテンツ情報１２を取得することができる。
【００５５】
上記の説明のように、第３の実施例では、図６に示すように、ローカルアドレス（MAC）検索（ステップＣ１）によるMACの取得→MACによるルーティング（ステップＣ２）といった、第１の実施例（図２参照）よりも少ない手順で、ユーザ端末１１によるコンテンツ情報１２の取得を実現することができる。その結果、ユーザ端末１１がコンテンツ情報１２を取得するまでのネットワークの接続時間をさらに短縮し、コンテンツ検索のサービスの品質をさらに向上させることができる。
【００５６】
≪第４の実施例≫
次に、第４の実施例について説明する。第４の実施例は、第３の実施例に対して、コンテンツ情報１２がローカルネットワーク上でなく、グローバルネットワーク上に存在する場合の実施例に相当する。
第４の実施例を説明する際、第１〜第３の実施例と重複する部分は説明を省略し、相違する点について主に説明する。
【００５７】
図７に示すように、第４の実施例の情報検索装置１００−４は、グローバル識別子付与検索部（NCS）４０Ａと、アドレス検索部（GNS）４０Ｂと、ローカルアドレス検索部（LGNS）４０Ｃと、ローカルアドレス検索部４０Ｄとを備える。グローバル識別子付与検索部４０Ａは、グローバル識別子付与検索部１０Ａ（図１），２０Ａ（図３）と同じである。アドレス検索部４０Ｂは、アドレス検索部２０Ｂ（図３）と同じである。ローカルアドレス検索部４０Ｃは、ローカルアドレス検索部３０Ａ（図５）と同じである。ローカルアドレス検索部４０Ｄは、ローカルアドレス検索部２０Ｄ（図３）と同じである。
【００５８】
図７に示すように、ローカルネットワーク上には、パケットを中継するエッジルータ２４−１（ネットワーク装置）が配置されている。また、グローバルネットワーク上には、コアルータ２４−２、エッジルータ２４−３が配置されている。エッジルータ２４−１は、テーブル２４−１ａを有する。テーブル２４−１ａは、ローカルアドレスまたはNA等のアドレスと、パケットを出力するポートとの対応付けを保持する。コアルータ２４−２、エッジルータ２４−３も、テーブル２４−１ａと同等の機能を持つテーブル（図示せず）を有する。
【００５９】
ユーザ端末１１が、グローバルネットワーク上のコンテンツ情報１２を取得する場合、第３の実施例と同様にして、ユーザ端末１１は、検索対象のコンテンツ名（Content n）を付与したパケット３４−１を、ローカルネットワークに送信するときにエッジルータ２４−１に送信する。
【００６０】
第３の実施例と同様にして、エッジルータ２４−１は、パケット３４−１に付与されたContent nをローカルアドレス検索部４０Ｃに送信する。しかし、ローカルアドレス検索部４０Ｃがテーブル４０Ｃａを参照しても、テーブル４０Ｃａは、Content nに対応するテーブルエントリを有していない。コンテンツ情報１２がローカルネットワーク上にないためである。よって、ローカルアドレス検索部４０Ｃは、エッジルータ２４−１にnullを返信する。
【００６１】
エッジルータ２４−１は、パケット３４−１のコンテンツ名（Content n）をグローバル識別子付与検索部４０Ａに送信する。グローバル識別子付与検索部４０Ａは、テーブル４０Ａａを参照して、コンテンツ名（Content n）に関連付けられたGUID「GUID n」をエッジルータ２４−１に送信する。このとき、グローバル識別子付与検索部４０Ａは、エッジルータ２４−１にグローバル識別子（GUID n）をパケット３４−１に付与させる。
【００６２】
エッジルータ２４−１は、パケット３４−１に付与されたGUID nをアドレス検索部４０Ｂに送信する。アドレス検索部４０Ｂは、テーブル４０Ｂａを参照して、GUID nに紐付けられたネットワークアドレス（NA n）を検索し、検索結果としてのネットワークアドレス（NA n）をエッジルータ２４−１に返信（応答）する。このとき、アドレス検索部４０Ｂは、エッジルータ２４−１にネットワークアドレス（NA n）をパケット３４−１に付与させ、パケット３４−２とする。
【００６３】
エッジルータ２４−１は、テーブル２４−１ａを参照して、NA nに対応するポート（ポート０）を検索し、アドレス検索部４０Ｂから取得したNA nをパケット３４−１に付与したパケット３４−２を、グローバルネットワーク上のコアルータ２４−２に送信する。以降、従来技術としてすでに説明したとおり、NA nを基にルーティングを行う。これにより、パケット３４−２は、コアルータ２４−２、エッジルータ２４−３を中継する。エッジルータ２４−３は、ローカルアドレス検索部４０Ｄを参照して、NA nと、最終目的地であるコンテンツ情報のＭＡＣアドレス（MAC n）との変換を行い、コンテンツ情報１２にパケットを転送する。その結果、ユーザ端末１１がコンテンツ情報１２にアクセスして、コンテンツ情報１２を取得することができる。
【００６４】
上記の説明のように、第４の実施例では、コンテンツ情報１２がローカルネットワーク上になく、ローカルアドレス検索部４０Ｃによる検索ができない場合は、図８に示すように、ローカルアドレス（MAC）検索（ステップＤ１）によるMACの取得失敗→グローバル識別子（GUID）検索（ステップＤ２）によるGUIDの取得→ネットワークアドレス（NA）検索（ステップＤ３）によるNAの取得→NAによるルーティング（ステップＤ４）→ＭＡＣアドレス変換（ステップＤ５）→ＭＡＣアドレスによる転送（ステップＤ６）といった手順をとる。これにより、ユーザ端末１１は、目的地であるコンテンツ情報１２に確実にアクセスすることができる。
【００６５】
≪第５の実施例≫
第５の実施例は、コンテンツ情報をNCSで登録する際、グローバル識別子に、コンテンツ名とＭＡＣアドレスとの組からなる構造を持たせることを特徴とする。図９に示すように、グローバル識別子付与検索部５０Ａは、コンテンツ情報１２を登録する際、コンテンツ情報１２のコンテンツ名「Content ID」と、コンテンツ情報１２のローカルアドレスとしてのＭＡＣアドレスとを合わせてグローバル識別子（GUID）を構成し、コンテンツ情報１２にGUIDを付与する。このようなグローバル識別子付与検索部５０Ａは、ローカルアドレス検索部（LGNS）の機能も兼ねているといえる。
第５の実施例を説明する際、第１〜第４の実施例と重複する部分は説明を省略し、相違する点について主に説明する。
【００６６】
図１０に示すように、第５の実施例の情報検索装置１００−５は、グローバル識別子付与検索部５０Ａを備える。グローバル識別子付与検索部５０Ａは、コンテンツ名とＭＡＣアドレス（ローカルアドレス）とを組み合わせたGUIDを構成し、記憶する。グローバル識別子付与検索部５０Ａは、テーブル５０Ａａ（グローバル識別子付与検索情報）を有する。テーブル５０Ａａは、GUIDを保持する。
【００６７】
図１０に示すように、ローカルネットワーク上には、パケットを中継するエッジルータ２５−１（ネットワーク装置）、コアルータ２５−２、エッジルータ２５−３が配置されている。エッジルータ２５−１、コアルータ２５−２はそれぞれ、テーブル２５−１ａ、２５−２ａを有する。テーブル２５−１ａ、２５−２ａは、テーブル２１−１ａ（図１）などと同等の機能を有する。エッジルータ２５−３も、テーブル２５−１ａと同等の機能を持つテーブル（図示せず）を有する。
【００６８】
ユーザ端末１１がコンテンツ情報１２を取得する場合、まず、ユーザ端末３１は、検索対象のコンテンツ名（Content n）を付与したパケット３５−１を、ローカルネットワークに送信するときにエッジルータ２５−１に送信する。エッジルータ２５−１は、パケット３５−１のコンテンツ名（Content n）をグローバル識別子付与検索部５０Ａに送信する。グローバル識別子付与検索部５０Ａは、テーブル５０Ａａを参照して、取得したコンテンツ名（Content n）を含むGUID「GUID n」を検索し、検索結果としてのGUID nをエッジルータ２５−１に返信（応答）する。このとき、グローバル識別子付与検索部５０Ａは、エッジルータ２５−１にグローバル識別子（GUID n）が含むＭＡＣアドレス（MAC n）を、コンテンツ名が付与されたパケット３５−１に付与させる。
【００６９】
エッジルータ２５−１は、グローバル識別子付与検索部５０ＡからGUID nを取得すると、取得したGUID nを構成するＭＡＣアドレス（MAC n）を抽出し、抽出したMAC nを、パケット３５−１中のContent nに付与してGUIDとしたパケット３５−２を、ポート１に出力し、コアルータ２５−２に送信する。以降、第１，第３の実施例で説明したときと同様に、ローカルネットワーク上でMAC nによるルーティングが行われることにより、パケット３５−２は、コアルータ２５−２、エッジルータ２５−３を中継し、最終的な目的地であるコンテンツ情報１２に到達する。その結果、ユーザ端末１１がコンテンツ情報１２にアクセスして、コンテンツ情報１２を取得することができる。
【００７０】
上記の説明のように、第５の実施例では、図１１に示すように、グローバル識別子（ローカルアドレス）検索（ステップＥ１）によるGUID内MACの取得→MACによるルーティング（ステップＥ２）といった、第１の実施例（図２参照）よりも少ない手順で、ユーザ端末１１によるコンテンツ情報１２の取得を実現することができる。その結果、ユーザ端末１１がコンテンツ情報１２を取得するまでのネットワークの接続時間をさらに短縮し、コンテンツ検索のサービスの品質をさらに向上させることができる。
【００７１】
≪第６の実施例≫
次に、第６の実施例について説明する。第６の実施例は、第５の実施例に対して、コンテンツ情報１２がローカルネットワーク上でなく、グローバルネットワーク上に存在する場合の実施例に相当する。
第６の実施例を説明する際、第１〜第５の実施例と重複する部分は説明を省略し、相違する点について主に説明する。
【００７２】
図１２に示すように、第６の実施例の情報検索装置１００−６は、グローバル識別子付与検索部（NCS）６０Ａと、アドレス検索部（GNS）６０Ｂと、ローカルアドレス検索部６０Ｃとを備える。グローバル識別子付与検索部６０Ａは、グローバル識別子付与検索部５０Ａ（図１０）と同じである。アドレス検索部（GNS）６０Ｂは、アドレス検索部２０Ｂ（図３），４０Ｂ（図７）と同じである。ローカルアドレス検索部６０Ｃは、ローカルアドレス検索部２０Ｄ（図３），４０Ｄ（図７）と同じである。
【００７３】
図１２に示すように、ローカルネットワーク上には、パケットを中継するエッジルータ２６−１（ネットワーク装置）が配置されている。また、グローバルネットワーク上には、コアルータ２６−２、エッジルータ２６−３が配置されている。エッジルータ２６−１は、テーブル２６−１ａを有する。テーブル２６−１ａは、ローカルアドレスまたはNA等のアドレスと、パケットを出力するポートとの対応付けを保持する。コアルータ２６−２、エッジルータ２６−３も、テーブル２６−１ａと同等の機能を持つテーブル（図示せず）を有する。
なお、情報検索装置１００−６と、エッジルータ２６−１と、コアルータ２６−２と、エッジルータ２６−３とで情報検索システムを構成する。
【００７４】
ユーザ端末１１が、グローバルネットワーク上のコンテンツ情報１２を取得する場合、第５の実施例と同様にして、ユーザ端末１１は、検索対象のコンテンツ名（Content n）を付与したパケット３６−１を、ローカルネットワークに送信するときにエッジルータ２６−１に送信する。
【００７５】
第５の実施例と同様にして、エッジルータ２６−１は、パケット３６−１のコンテンツ名（Content n）をグローバル識別子付与検索部６０Ａに送信する。グローバル識別子付与検索部６０Ａは、テーブル６０Ａａを参照して、取得したコンテンツ名（Content n）を含むGUID「GUID n」を検索し、検索結果としてのGUID nをエッジルータ２６−１に返信（応答）する。
【００７６】
エッジルータ２６−１は、グローバル識別子付与検索部６０ＡからGUID nを取得すると、取得したGUID nをアドレス検索部６０Ｂに送信する。アドレス検索部６０Ｂは、テーブル６０Ｂａを参照して、GUID nに紐付けられたネットワークアドレス（NA n）を検索し、検索結果としてのネットワークアドレス（NA n）をエッジルータ２６−１に返信（応答）する。このとき、アドレス検索部６０Ｂは、エッジルータ２６−１にネットワークアドレス（NA n）をパケット３６−１にさらに付与させ、パケット３６−２とする。
【００７７】
エッジルータ２６−１は、テーブル２６−１ａを参照して、NA nに対応するポート（ポート２）を検索し、GUID n、および、アドレス検索部６０Ｂから取得したNA nをパケット３６−１に付与したパケット３６−２を、グローバルネットワーク上のコアルータ２６−２に送信する。ここで、エッジルータ２６−１は、パケット３６−１に元々付与されていたコンテンツ名（Content n）を、GUID nとNA nの組に置き換えている。
【００７８】
以降、従来技術としてすでに説明したとおり、NA nを基にルーティングを行う。これにより、パケット３６−２は、コアルータ２６−２、エッジルータ２６−３を中継する。エッジルータ２６−３は、ローカルアドレス検索部６０Ｃを参照して、NA nと、最終目的地であるコンテンツ情報のＭＡＣアドレス（MAC n）との変換を行い、コンテンツ情報１２にパケットを転送する。その結果、ユーザ端末１１がコンテンツ情報１２にアクセスして、コンテンツ情報１２を取得することができる。
【００７９】
なお、エッジルータ２６−１（ネットワーク装置）は、グローバル識別子付与検索部６０Ａから取得するGUIDから得られるＭＡＣアドレスが、テーブル２６−１ａに存在しない場合、グローバルネットワークに接続するデフォルトポート（ポート０）に転送し、デフォルトポートからのパケット３６−２の出力を通じて、グローバルネットワーク内でアドレス検索部６０Ｂを検索し、ネットワークアドレス（NA）の検索を行ってもよい。これにより、ネットワークの接続時間を短縮するという本発明の作用効果を妨げないようにすることができる。
【００８０】
上記の説明のように、第６の実施例では、コンテンツ情報１２がローカルネットワーク上になく、ローカルアドレス検索部６０Ｃによる検索ができない場合は、図１３に示すように、グローバル識別子（ローカルアドレス）検索（ステップＦ１）によるGUIDの取得→ネットワークアドレス（NA）検索（ステップＦ２）によるNAの取得→NAによるルーティング（ステップＦ３）→ＭＡＣアドレス変換（ステップＦ４）→ＭＡＣアドレスによる転送（ステップＦ５）といった手順をとる。これにより、ユーザ端末１１は、目的地であるコンテンツ情報１２に確実にアクセスすることができる。
【００８１】
≪その他≫
（ａ）：例えば、第１の実施例にて、グローバル識別子付与検索部１０Ａとローカルアドレス検索部１０Ｂとの間で、コンテンツ名（Content）ごとの、GUIDおよびＭＡＣアドレスをやり取りし、ユーザ端末１１から取得した、検索対象のコンテンツ名（Content）に対して、GUIDだけでなくＭＡＣアドレスも応答し、ユーザ端末１１から転送されるパケットに、GUIDおよびＭＡＣアドレスを付与してもよい。他の実施例についても同様である。
【００８２】
（ｂ）コンテンツ情報１２がローカルネットワーク上にない場合の第２の実施例において、コンテンツ情報１２がローカルネットワーク上にないことをネットワーク側で予め認識する手段を有する場合、エッジルータ２２−１がローカルアドレス検索部２０Ｃにコンテンツ名を送信し、ローカルアドレス検索部２０Ｃがnullを応答する手順を省略することができる。つまり、図４中のステップＢ２を省略することができる。よって、グローバルネットワーク上のコンテンツ情報１２を取得するネットワークの接続時間を短縮することができる。第２の実施例における上記の説明は、第４の実施例にもあてはまる。
【００８３】
本実施形態で説明した種々の技術を適宜組み合わせた技術を実現することもできる。
本実施形態で説明したソフトウェアをハードウェアとして実現することもでき、ハードウェアをソフトウェアとして実現することもできる。
その他、ハードウェア、ソフトウェア、フローチャートなどについて、本発明の趣旨を逸脱しない範囲で適宜変更が可能である。
【符号の説明】
【００８４】
１００−１〜６  情報検索装置
１０Ａ，２０Ａ，４０Ａ，５０Ａ，６０Ａ  グローバル識別子付与検索部（NCS）
１０Ｂ，２０Ｃ，３０Ａ，４０Ｃ  ローカルアドレス検索部（LGNS）
２０Ｂ，４０Ｂ，６０Ｂ  アドレス検索部（GNS）（ネットワークアドレス検索部）
２０Ｄ，４０Ｄ，６０Ｃ  ローカルアドレス検索部
１１    ユーザ端末
１２    コンテンツ情報
２１−１、２１−３、２２−１、２２−３、２３−１、２３−３、２４−１、２４−３、２５−１、２５−３、２６−１、２６−３  エッジルータ
２１−２、２２−２、２３−２、２４−２、２５−２、２６−２  コアルータ
５０Ａａ  テーブル（グローバル識別子付与検索情報）
【図１】
2019140612.tif 000003
【図２】
2019140612.tif 000004
【図３】
2019140612.tif 000005
【図４】
2019140612.tif 000006
【図５】
2019140612.tif 000007
【図６】
2019140612.tif 000008
【図７】
2019140612.tif 000009
【図８】
2019140612.tif 000010
【図９】
2019140612.tif 000011
【図１０】
2019140612.tif 000012
【図１１】
2019140612.tif 000013
【図１２】
2019140612.tif 000014
【図１３】
2019140612.tif 000015
【図１４】
2019140612.tif 000016
【図１５】
2019140612.tif 000017